(57)【要約】【課題】  乳幼児や子供向けの液状歯磨き剤塗布ブラシを提供する。【解決手段】  本発明による棒状の液状歯磨き剤塗布ブラシは、複数の突起部を有するヘッド部と、可撓性の首部と、複数の凸部を有するハンドル部と、を備え、前記ヘッド部は、長手方向の長さが異なる複数の前記突起部を有する表面と、長手方向の長さが略同一の複数の前記突起部を有する裏面とを有し、前記首部は、少なくとも前記ヘッド部の右側面方向又は左側面方向への撓みを許容し、前記ハンドル部は、前記首部と前記ハンドル部との接続部分に設けられた第一の凸部と、前記ヘッド部と反対側の前記ハンドル部の端部に設けられた第二の凸部と、前記第一の凸部と、前記第二の凸部の間に設けられた第三の凸部とを有することを特徴とする。【選択図】図１
2020075125.tif 000002
【特許請求の範囲】
【請求項１】
棒状の液状歯磨き剤塗布ブラシであって、
複数の突起部を有するヘッド部と、
可撓性の首部と、
複数の凸部を有するハンドル部と、
を備え、
前記ヘッド部は、
長手方向の長さが異なる複数の前記突起部を有する表面と、
長手方向の長さが略同一の複数の前記突起部を有する裏面とを有し、
前記首部は、少なくとも前記ヘッド部の右側面方向又は左側面方向への撓みを許容し、
前記ハンドル部は、
前記首部と前記ハンドル部との接続部分に設けられた第一の凸部と、
前記ヘッド部と反対側の前記ハンドル部の端部に設けられた第二の凸部と、
前記第一の凸部と、前記第二の凸部の間に設けられた第三の凸部と
を有することを特徴とする液状歯磨き剤塗布ブラシ。
【請求項２】
請求項１に記載の液状歯磨き剤塗布ブラシであって、
前記ヘッド部、前記首部及び前記ハンドル部は軸体を有し、
前記ヘッド部の軸体と、前記首部の軸体と、前記ハンドル部の軸体とが、硬質樹脂により一体として形成されることを特徴とする前記液状歯磨き剤塗布ブラシ。
【請求項３】
請求項２に記載の液状歯磨き剤塗布ブラシであって、
前記ヘッド部、前記首部及び前記ハンドル部は被覆部を有し、前記ヘッド部の被覆部と、前記首部の被覆部と、前記ハンドル部の被覆部とが、前記硬質樹脂よりも軟質の弾性材料により一体として形成されることを特徴とする前記液状歯磨き剤塗布ブラシ。
【請求項４】
請求項３に記載の液状歯磨き剤塗布ブラシであって、
前記ヘッド部の複数の突起部と、前記ヘッド部の被覆部とが、前記弾性材料又は前記低反発弾性材料により一体として形成されることを特徴とする前記液状歯磨き剤塗布ブラシ。
【請求項５】
請求項２〜４のいずれか一項に記載の液状歯磨き剤塗布ブラシであって、
前記硬質樹脂が、曲げ弾性率が１０００（ＭＰａ）以上２５００（ＭＰａ）以下のポリプロピレンから成り、
前記弾性材料又は前記低反発弾性材料が、シリコーンゴム又は熱可塑性エラストマーから成ることを特徴とする前記液状歯磨き剤塗布ブラシ。
【請求項６】
請求項２〜５のいずれか一項に記載の液状歯磨き剤塗布ブラシであって、
前記ヘッド部の突起部の硬さをＡ（Ｎ／ｃｍ２）、前記硬質樹脂の曲げ弾性率をＢ（ＭＰａ）としたとき、Ａ／Ｂの値が０．０００３以上０．０３以下であることを特徴とする前記液状歯磨き剤塗布ブラシ。
【発明の詳細な説明】
【技術分野】
【０００１】
本発明は、液状歯磨き剤塗布ブラシに関し、特に、乳幼児や子供向けの液状歯磨き剤塗布ブラシに関する。
【背景技術】
【０００２】
一般的な歯ブラシは、ヘッド部に植毛された毛束の先端に練り物状や液状の歯磨き剤を付け、毛束の先端で歯の表面を擦ることで、歯の表面に付着した食べ物屑や歯垢を除去するためものである。また、一般的な歯ブラシは、歯間や歯と歯茎の間に毛束の先端を挿入して、食べ物屑や歯垢を掻き出して除去することに用いられる。
【０００３】
また、一般的な歯ブラシは、歯の白さを保つために、毛束の先端に研磨剤等を含有する歯磨き剤を付け、毛束の先端で歯の表面を磨くことで、飲食物等による着色汚れを除去することにも用いられる。また、一般的な歯ブラシには、先端が先鋭化された比較的高密度の毛束により歯肉へのマッサージ効果を期待するものも存在する。
【０００４】
例えば、特許文献１は、歯頸部、歯間部、咬合面の小窩裂溝部等の細かな隙間に刷毛先を届かせ、歯間汚れを効果的に除去するため、テーパー形状を有する複数本の刷毛を束ねた毛束をヘッド部の植毛面に植設した歯ブラシを開示している。特許文献１の歯ブラシでは、毛束を構成する刷毛の根元部断面積の総和が１．０ｍｍ２以下、単位植毛面積当たりの毛束の数が２５束以上、８０束以下とすることにより、細かい部位の歯垢除去効果を向上しつつ、歯肉への当たり心地を良くし、歯肉へのマッサージ効果を高めている。
【０００５】
また、特許文献２は、植毛面に複数の毛束を植設する歯ブラシに用いられる歯ブラシ用毛において、モノフィラメントの先端をテーパー形状とすることで、歯頸部への毛先進入性を良くし、モノフィラメントの先端にスリットを挟んで層状に並ぶ複数の弾性片を設けることで、１本当たりの毛先の表面積を大きくして、歯垢を掻き取る能力を高めるブラシ用毛を開示している。
【０００６】
特許文献１及び２はいずれも歯ブラシの毛束の先端等を工夫することにより、歯の表面に付着した食べ物屑や歯垢を除去する効果や、歯間や歯と歯茎の間に毛束の先端を挿入して、食べ物屑や歯垢を掻き出して除去する効果等を高めるものである。
【０００７】
一方、乳幼児や子供は、適切なブラッシング圧を保ちながら歯磨き剤の塗布を行うことに慣れておらず、過剰なブラッシング圧により歯肉の損傷を引き起こすおそれがある。そのため、植毛面に複数の毛束を植設する一般的な歯ブラシでは、過剰なブラッシング圧により毛束の先端が乳幼児や子供の歯肉には刺激となる可能性があり、乳幼児や子供の歯磨き剤の塗布行為に適した歯磨き剤塗布用具が求められる。
【０００８】
また、乳幼児や子供の歯磨き剤の塗布行為においては、歯ブラシによる喉突きを防止することも重要である。例えば特許文献３は、鍔状プレートを設けることでブラシ部が喉の奥まで届かないように規制する乳幼児用歯ブラシにおいて、歯ブラシ本体が鍔状プレートの挿通穴から抜ける方向の衝撃荷重を受けた場合でも、ブラシ部が飛び出す方向に、歯ブラシ本体が鍔状プレートから脱けるのを確実に回避することを開示している。
【先行技術文献】
【特許文献】
【０００９】
【特許文献１】特開２００６−１８０９７３号公報
【特許文献２】特開２０１０−２５３１０７号公報
【特許文献３】特開２０１４−２１７４００号公報
【発明の概要】
【発明が解決しようとする課題】
【００１０】
しかしながら、特許文献３は、特許文献１及び２のような一般的な歯ブラシと同様に、ブラシ部の植毛台に複数の毛束を植毛したものとなっている。このようにヘッド部に毛束が植毛された一般的な歯ブラシでは、特に、毛束の劣化や過剰なブラッシング圧等により毛束の先端が乳幼児や子供の歯肉には刺激となる可能性があった。
【００１１】
また、特許文献３のような乳幼児用歯ブラシにおいては、乳幼児が自ら歯ブラシを操作することが想定されているが、乳幼児の場合には、親等の大人が乳幼児に代わって仕上げを行うことが多い。しかしながら、乳幼児用の歯ブラシは、乳幼児の手に合わせた大きさや形状となっており、過度な柔軟性を有する場合もあるため、大人には操作しづらいという問題があった。
【００１２】
そのため、乳幼児が自らブラシを操作する場合の操作性と、親等の大人が仕上げをする場合の操作性の双方を両立することができ、双方の操作性の向上により、乳幼児や子供の歯肉や口腔内組織へのダメージを最小限に抑えることができる乳幼児や子供向けの歯磨き剤の塗布用具が求められている。
【００１３】
そこで、本発明は、上記課題を解決し、乳幼児が自らブラシを操作する場合の操作性と、親等の大人が仕上げをする場合の操作性の双方を両立することができ、双方の操作性の向上により、乳幼児や子供の歯肉や口腔内組織へのダメージを最小限に抑えることができる乳幼児や子供向けの液状歯磨き剤塗布ブラシを提供するものである。
【課題を解決するための手段】
【００１４】
上記課題を解決するため、本発明では、棒状の液状歯磨き剤塗布ブラシであって、複数の突起部を有するヘッド部と、可撓性の首部と、複数の凸部を有するハンドル部と、を備え、前記ヘッド部は、長手方向の長さが異なる複数の前記突起部を有する表面と、長手方向の長さが略同一の複数の前記突起部を有する裏面とを有し、前記首部は、少なくとも前記ヘッド部の右側面方向又は左側面方向への撓みを許容し、前記ハンドル部は、前記首部と前記ハンドル部との接続部分に設けられた第一の凸部と、前記ヘッド部と反対側の前記ハンドル部の端部に設けられた第二の凸部と、前記第一の凸部と、前記第二の凸部の間に設けられた第三の凸部とを有することを特徴とする液状歯磨き剤塗布ブラシを提供する。
【００１５】
本発明による液状歯磨き剤塗布ブラシは、前記ヘッド部、前記首部及び前記ハンドル部は軸体を有し、前記ヘッド部の軸体と、前記首部の軸体と、前記ハンドル部の軸体とが、硬質樹脂により一体として形成されることを特徴とする。
【００１６】
本発明による液状歯磨き剤塗布ブラシは、前記ヘッド部、前記首部及び前記ハンドル部は被覆部を有し、前記ヘッド部の被覆部と、前記首部の被覆部と、前記ハンドル部の被覆部とが、前記硬質樹脂よりも軟質の弾性材料により一体として形成されることを特徴とする。弾性材料は、低反発のものが好ましい。
【００１７】
本発明による液状歯磨き剤塗布ブラシは、前記ヘッド部の複数の突起部と、前記ヘッド部の被覆部とが、前記弾性材料又は前記低反発弾性材料により一体として形成されることを特徴とする。
【００１８】
本発明による液状歯磨き剤塗布ブラシは、前記硬質樹脂が、好ましくはポリプロピレンから成ることを特徴とする。硬質樹脂は、ポリスチレン、ポリエチレンテレフタレート、アクリロニトリルブタジエンスチレン、ポリカーボネート、ポリアセタールから成るものであってもよい。
【００１９】
本発明による液状歯磨き剤塗布ブラシは、前記硬質樹脂の曲げ弾性率が１０００Ｍｐａ以上２５００Ｍｐａ以下であることを特徴とする。硬質樹脂は、好ましくは曲げ弾性率が１０００Ｍｐａ以上２５００Ｍｐａ以下のポリプロピレンから成る。
【００２０】
本発明による液状歯磨き剤塗布ブラシは、前記弾性材料又は前記低反発弾性材料が、シリコーンゴム又は熱可塑性エラストマーから成ることを特徴とする。熱可塑性エラストマーは、ポリオレフィン系、スチレン系、ポリエステル系、又はポリウレタン系等のいずれの種類の熱可塑性エラストマーであってもよい。
【００２１】
本明細書において「右側面方向」又は「右側面」等と表現する際の「右」とは、特に指定のない限り、液状歯磨き剤塗布ブラシを正面視した場合の「右」を指す。ここで、「正面視」とは図５のように見た場合をいう。
本明細書において「左側面方向」又は「左側面」等と表現する際の「左」とは、特に指定のない限り、液状歯磨き剤塗布ブラシを正面視した場合の「左」を指す。
本明細書において「前後方向」とは、特に指定のない限り、液状歯磨き剤塗布ブラシを正面視した場合の「手前に向かう方向」及び「奥に向かう方向」を指し、この際の「前方向」とは液状歯磨き剤塗布ブラシを正面視した場合の「手前に向かう方向」を指し、液状歯磨き剤塗布ブラシを正面視した場合の「後方向」とは「奥に向かう方向」を指す。
本明細書において「前後方向」、「前後」等と表現する際の「前」とは、特に指定のない限り、液状歯磨き剤塗布ブラシを正面視した場合の「手前側」を指す。
本明細書において「前後方向」、「前後」等と表現する際の「後」とは、特に指定のない限り、液状歯磨き剤塗布ブラシを正面視した場合の「奥側」を指す。
【発明の効果】
【００２２】
本発明の乳幼児や子供向けの液状歯磨き剤塗布ブラシの構造によれば、乳幼児や子供が自ら塗布ブラシを操作して歯磨き剤の塗布を行う場合の操作性と、乳幼児や子供の代わりに親が塗布ブラシを操作して仕上げとして歯磨き剤を塗布する場合の操作性との両立を図ることができる。このように双方の操作性を向上することにより、乳幼児や子供の歯肉や口腔内組織へのダメージを最小限に抑えることができる。
【００２３】
また、双方の操作性の向上を考慮した構造としつつ、首部の撓みを許容することにより喉突きによる事故を防止し、操作時の安全性も向上することができる。
本発明の他の目的、特徴及び利点は添付図面に関する以下の本発明の実施例の記載から明らかになるであろう。
【図面の簡単な説明】
【００２４】
【図１】図１は、本発明による液状歯磨き剤塗布ブラシの左側面図である。
【図２】図２は、本発明による液状歯磨き剤塗布ブラシの斜視図である。
【図３Ａ】図３Ａは、本発明による液状歯磨き剤塗布ブラシの軸体の左側面図である。
【図３Ｂ】図３Ｂは、本発明による液状歯磨き剤塗布ブラシの軸体の正面図である。
【図３Ｃ】図３Ｃは、本発明による液状歯磨き剤塗布ブラシの軸体の背面図である。
【図４Ａ】図４Ａは、本発明による液状歯磨き剤塗布ブラシの正面図である。
【図４Ｂ】図４Ｂは、本発明による液状歯磨き剤塗布ブラシの背面図である。
【図５】図５は、本発明による液状歯磨き剤塗布ブラシの首部の撓みの一例を示す図である。
【図６】図６は、本発明による液状歯磨き剤塗布ブラシのＡ−Ａ断面図である。
【発明を実施するための形態】
【実施例１】
【００２５】
図１は、本発明による液状歯磨き剤塗布ブラシ１の左側面図である。
本発明による液状歯磨き剤塗布ブラシ１は、図１に示すような棒状の液状歯磨き剤塗布ブラシであり、複数の突起部１０を有するヘッド部２０と、可撓性の首部３０と、複数の凸部４０を有するハンドル部５０とを備える。
【００２６】
ヘッド部２０は、表面２１と裏面２２を有し、好ましくは表面２１と裏面２２の双方に複数の突起部１０を有する。歯磨き剤の塗布の際にはヘッド部２０の突起部１０に液状歯磨き剤を付け、歯の表面や歯茎、歯間、及び歯と歯茎の間等に対して、液状歯磨き剤を塗布する。液状歯磨き剤を塗布する口腔内の部位に応じて、ヘッド部２０の表面２１の突起部１１に液状歯磨き剤を塗布して使用するか、ヘッド部２０の裏面２２の突起部１２に液状歯磨き剤を塗布して使用するかを選択することが可能である。
【００２７】
ヘッド部２０の表面２１は、好ましくは長手方向の長さが異なる複数の突起部１１を有する。ヘッド部２０の表面２１は、長手方向の長さが異なる複数の突起部１１を有するため、特に、歯間や、歯と歯茎の間、奥歯等の狭い部分に液状歯磨き剤を塗布することに適している。
【００２８】
また、ヘッド部２０の裏面２２は、好ましくは長手方向の長さが略同一の複数の突起部１２を有する。ヘッド部２０の裏面２２は、長手方向の長さが略同一の複数の突起部１２を有するため、特に、歯の表面や歯茎の表面等の広い部分に液状歯磨き剤を塗布することに適している。
【００２９】
首部３０は、ヘッド部２０とハンドル部５０との間に設けられる。首部３０は、可撓性を有し、少なくともヘッド部２０の右側面方向又は左側面方向への撓みを許容する。首部３０は、ヘッド部２０の右側面方向又は左側面方向への撓みを許容するため、乳幼児や子供が歯磨き剤を塗布する際に、転倒や衝突等により液状歯磨き剤塗布ブラシ１のヘッド部２０の先端が喉や口腔内の意図しない部分に到達した場合であっても、ヘッド部２０が撓むことで衝撃を吸収することができる。
【００３０】
ハンドル部５０は、首部３０とハンドル部５０との接続部分に設けられた第一の凸部４１と、ヘッド部２０と反対側のハンドル部５０の端部５１に設けられた第二の凸部４２と、第一の凸部４１と第二の凸部４２の間に設けられた第三の凸部４３とを有する。ハンドル部５０にこれらの凸部４０を設けることにより、ハンドル部５０を把持しやすくし、歯磨き剤を塗布する際の手の滑りを防止することができる。
【００３１】
即ち、第一の凸部４１、第二の凸部４２及び第三の凸部４３を設けることにより、ハンドル部５０の握り方や手の大きさに関わらず、ハンドル部５０を把持しやすく、手の滑りを防止することができる。そのため、本発明による液状歯磨き剤塗布ブラシ１は、乳幼児や子供が自ら歯磨き剤を塗布する場合にも、乳幼児や子供の代わりに親が仕上げとして歯磨き剤を塗布する場合にも、操作性に優れている。特に、第一の凸部４１を首部３０とハンドル部５０との接続部分に設け、第二の凸部４２をヘッド部２０と反対側のハンドル部５０の端部５１に設け、第三の凸部４３を第一の凸部４１と第二の凸部４２の間に設けることにより、ハンドル部５０の握り方や手の大きさが異なる場合でも、第一から第三の凸部４１〜４３の少なくともいずれか１つ以上に手が掛かることとなり、ハンドル部５０を把持しやすく、手の滑りを防止する効果を高めることができる。
【００３２】
図２は、本発明による液状歯磨き剤塗布ブラシの斜視図である。
ヘッド部２０の表面２１に設けられた複数の突起部１１は、好ましくはヘッド部２０の表面２１に対して垂直な方向に、表面２１から突出している。他の変形例においては、ヘッド部２０の表面２１に設けられた複数の突起部１１は、ヘッド部２０の表面２１に対して垂直な方向から任意の角度だけ傾けた方向に、表面２１から突出するようにしてもよい。
【００３３】
また、ヘッド部２０の裏面２２に設けられた複数の突起部１２は、好ましくはヘッド部２０の裏面２２に対して垂直な方向に、裏面２２から突出している。他の変形例においては、ヘッド部２０の裏面２２に設けられた複数の突起部１２は、ヘッド部２０の裏面２２に対して垂直な方向から任意の角度だけ傾けた方向に、裏面２２から突出するようにしてもよい。
【００３４】
ヘッド部２０の表面２１に設けられた複数の突起部１１同士は、好ましくは図２のように一定の間隔を空けて設けられるが、突起部１１のそれぞれを表面２１の任意の位置に配置してもよい。同様に、ヘッド部２０の裏面２２に設けられた複数の突起部１２同士は、好ましくは図２のように一定の間隔を空けて設けられるが、突起部１２のそれぞれを表面２１の任意の位置に配置してもよい。
【００３５】
また、図２の例では、ヘッド部２０の表面２１のほぼ全面に亘って複数の突起部１１が設けられているが、ヘッド部２０の表面２１のうち、突起部１１が設けられている部分と、突起部１１が設けられていない部分を有するようにしてもよい。例えば、ヘッド部２０の表面２１のうち、表面２１の外周部分には複数の突起部１１を設け、表面２１の中心部分には突起部１１を設けないようにしてもよい。その際、表面２１の外周部分の全周に亘って突起部１１を設けてもよく、表面２１の外周部分の一部のみに突起部１１を設けるようにしてもよい。
【００３６】
同様に、図２の例では、ヘッド部２０の裏面２２のほぼ全面に亘って複数の突起部１２が設けられているが、ヘッド部２０の裏面２２のうち、突起部１２が設けられている部分と、突起部１２が設けられていない部分を有するようにしてもよい。例えば、ヘッド部２０の裏面２２のうち、裏面２２の外周部分には複数の突起部１２を設け、裏面２２の中心部分には突起部１２を設けないようにしてもよい。その際、裏面２２の外周部分の全周に亘って突起部１２を設けてもよく、裏面２２の外周部分の一部のみに突起部１２を設けるようにしてもよい。
【００３７】
また、図２の例の他、ヘッド部２０の表面２１及び裏面２２だけでなく、ヘッド部２０の表面２１と裏面２２の間の側面やヘッド部２０の先端部を含む、ヘッド部２０のほぼ全面に亘って突起部を設けるようにしてもよい。
【００３８】
ヘッド部２０の表面２１に設けられた複数の突起部１１の長さは、例えば、表面２１の首部３０と反対側の端部と表面２１の首部３０側の端部に設けられた突起部１１の長さが、表面２１の中央部に設けれた突起部１１の長さよりも長くなるようにしてもよい。また、ヘッド部２０の表面２１に設けられた複数の突起部１１の長さは、例えば、表面２１の首部３０と反対側の端部に近づくほど長くなるようにしてもよい。反対に、ヘッド部２０の表面２１に設けられた複数の突起部１１の長さは、表面２１の首部３０側に近づくほど長くなるようにしてもよい。
【００３９】
ヘッド部２０の表面２１に設けられた突起部１１及びヘッド部２０の裏面２２に設けられた突起部１２は、弾性材料から成る。弾性材料の中でも低反発のものが好ましい。好ましくは軟質の弾性材料又は軟質の低反発弾性材料から成る。弾性材料のゴム硬度は、好ましくは３０度以上６０度以下である。また、ヘッド部２０の表面２１に設けられた複数の突起部１１の集合としてのブラシ硬度は、好ましくは３０Ｎ／ｃｍ２以下であり、例えば約１０〜１５Ｎ／ｃｍ２程度にしてもよい。同様に、ヘッド部２０の裏面２２に設けられた複数の突起部１２の集合としてのブラシ硬度も、好ましくは３０Ｎ／ｃｍ２以下であり、例えば約１０〜１５Ｎ／ｃｍ２程度にしてもよい。なお、ブラシ硬度の測定は、ＪＩＳ  Ｓ−３０１６の圧縮試験機を用いる測定方法に準じて行ったものである。
【００４０】
このように、ヘッド部２０に設けられた突起部１１及び１２を上記のような適切な硬度の軟質樹脂とすることにより、乳幼児や子供の口腔内を傷つけにくく、仕上げとして歯磨き剤を塗布する時の操作性に優れるという効果が得られる。また、突起部１１又は１２に塗布される液状歯磨き剤の保持性に優れるという効果も得られる。
【００４１】
図３Ａ〜図３Ｃは、本発明による液状歯磨き剤塗布ブラシの軸体を示す図である。図３Ａは、本発明による液状歯磨き剤塗布ブラシの軸体の左側面図であり、図３Ｂは、本発明による液状歯磨き剤塗布ブラシの軸体の正面図であり、図３Ｃは、本発明による液状歯磨き剤塗布ブラシの軸体の背面図である。
【００４２】
本発明による液状歯磨き剤塗布ブラシ１のヘッド部２０、首部３０及びハンドル部５０は、内部に硬質樹脂で形成された軸体６０を有する。軸体６０は、ヘッド部２０の軸体６１と、首部３０の軸体６２と、ハンドル部５０の軸体６３とから構成される。ヘッド部２０の軸体６１と、首部３０の軸体６２と、ハンドル部５０の軸体６３とは、好ましくは硬質樹脂により一体として形成される。
【００４３】
図３Ａ〜図３Ｃを参照すると理解される通り、軸体６０は、液状歯磨き剤塗布ブラシ１の先端から後端までに亘って配置されている。即ち、軸体６０は、ヘッド部２０の先端から、ヘッド部２０の先端とは反対側のハンドル部５０の後端までに亘って配置されており、液状歯磨き剤塗布ブラシ１の略全長に亘って配置されている。
【００４４】
このように、硬質樹脂で一体的に形成された軸体６０が液状歯磨き剤塗布ブラシ１の略全長に亘って配置されていることにより、ハンドル部５０が撓まないか又は撓みにくくなり、乳幼児や子供の代わりに親等の大人が仕上げとして歯磨き剤を塗布する場合の操作性に優れるという効果が得られる。ハンドル部５０が撓む構造と異なり、ハンドル部５０が撓まない構造は、ハンドル部５０に加えた力をより直接的にヘッド部２０へ伝えることができる。そのため、自らの意図した力加減により歯磨き剤の塗布を行うことができ、親等の大人が仕上げとして歯磨き剤を塗布する際に力加減を自在にコントロールしたい場合に扱いやすく、操作性に優れる。
【００４５】
軸体６０を形成する硬質樹脂は、好ましくはポリプロピレンから成る。また、軸体６０を形成する硬質樹脂は、ポリスチレン、ポリエチレンテレフタレート、アクリロニトリルブタジエンスチレン、ポリカーボネート、又はポリアセタール等であってもよい。
【００４６】
軸体６０を形成する硬質樹脂は、曲げ弾性率が１０００Ｍｐａ以上２５００Ｍｐａ以下の硬質樹脂である。例えば、硬質樹脂は、曲げ弾性率が１０００Ｍｐａ以上２５００Ｍｐａ以下のポリプロピレンから成る。好ましくは、硬質樹脂は、曲げ弾性率が１０５０Ｍｐａ以上２０５０Ｍｐａ以下のポリプロピレンから成り、より好ましくは、硬質樹脂は、曲げ弾性率が１２００Ｍｐａ以上１７００Ｍｐａ以下のポリプロピレンから成る。
【００４７】
また、ヘッド部２０の突起部１１又は１２の硬さをＡ（Ｎ／ｃｍ２）、硬質樹脂の曲げ弾性率をＢ（ＭＰａ）としたとき、Ａ／Ｂの値は０．０００３以上０．０３以下である。好ましくはＡ／Ｂの値は０．００７以上０．０２５以下であり、より好ましくはＡ／Ｂの値は０．０１以上０．０２以下である。
【００４８】
図３Ａ〜図３Ｃを参照すると理解される通り、ヘッド部２０の軸体６１の形状は、好ましくは略長方形又は略楕円形の板状である。ヘッド部２０の軸体６１の形状は、図３Ａ〜図３Ｃに示す例に限られず、任意の多角形又は円形の板状であってもよい。また、ヘッド部２０の軸体６１の形状は、板状に限られず、少なくとも一部に平面が含まれる形状であればよい。
【００４９】
図３Ａ〜図３Ｃを参照すると理解される通り、首部３０の軸体６２の形状は、好ましくは略長方形の板状である。首部３０の軸体６２の形状は、図３Ａ〜図３Ｃに示す例に限られず、任意の多角形の板状又は円弧を有する板状であってもよい。また、首部３０の軸体６２の形状は、板状に限られず、略楕円柱状であってもよい。
【００５０】
図３Ａ〜図３Ｃを参照すると理解される通り、ハンドル部５０の軸体６３の形状は、好ましくはハンドル部５０と同様に、首部３０の軸体６２とハンドル部５０の軸体６３との接続部分に設けられた第一の軸体凸部７１と、ヘッド部２０の軸体６１と反対側のハンドル部５０の軸体６３の端部６４に設けられた第二の軸体凸部７２と、第一の軸体凸部７１と第二の軸体凸部７２の間に設けられた第三の軸体凸部７３とを有する。
【００５１】
図３Ａ〜図３Ｃを参照すると理解される通り、ハンドル部５０の軸体６３の第一の軸体凸部７１及び第三の軸体凸部７３は、好ましくは略楕円体形状を有する。
【００５２】
図３Ａ〜図３Ｃを参照すると理解される通り、首部３０の軸体６２とハンドル部５０の軸体６３との接続部分に設けられた第一の軸体凸部７１は、図３Ａのように左側面から見た場合、図３Ｂのように正面から見た場合、及び図３Ｃのように背面から見た場合において、いずれもハンドル部５０の軸体６３の長手方向に略垂直な方向に向かって凸の凸形状を有している。
【００５３】
同様に、図３Ａ〜図３Ｃを参照すると理解される通り、第一の軸体凸部７１と第二の軸体凸部７２の間に設けられた第三の軸体凸部７３は、図３Ａのように左側面から見た場合、図３Ｂのように正面から見た場合、及び図３Ｃのように背面から見た場合において、いずれもハンドル部５０の軸体６３の長手方向に略垂直な方向に向かって凸の凸形状を有している。
【００５４】
これに対し、図３Ａ〜図３Ｃを参照すると理解される通り、ハンドル部５０の軸体６３の端部６４に設けられた第二の軸体凸部７２は、図３Ａのように左側面から見た場合には、ハンドル部５０の軸体６３の長手方向に略垂直な方向に向かって凸の凸形状を有しておらず、図３Ｂのように正面から見た場合、及び図３Ｃのように背面から見た場合においては、ハンドル部５０の軸体６３の長手方向に略垂直な方向に向かって凸の凸形状を有している。
【００５５】
図３Ａ〜図３Ｃを参照すると理解される通り、ハンドル部５０の軸体６３の端部６４に設けられた第二の軸体凸部７２は、挿通孔６５を有するようにしてもよい。第二の軸体凸部７２の挿通孔６５には、液状歯磨き剤塗布ブラシ１の保管の際の便宜のため、フックや紐等を通すことができるようにしてもよい。
【００５６】
図４Ａは、本発明による液状歯磨き剤塗布ブラシの正面図であり、図４Ｂは、本発明による液状歯磨き剤塗布ブラシの背面図である。
図４Ａ、図４Ｂ及び図１を参照すると理解される通り、ハンドル部５０の第一の凸部４１及び第二の凸部４２は、好ましくは略楕円体形状を有する。
【００５７】
図４Ａ、図４Ｂ及び図１を参照すると理解される通り、首部３０とハンドル部５０との接続部分に設けられた第一の凸部４１は、図１のように左側面から見た場合、図４Ａのように正面から見た場合、及び図４Ｂのように背面から見た場合において、いずれもハンドル部５０の長手方向に略垂直な方向に向かって凸の凸形状を有している。
【００５８】
同様に、図４Ａ、図４Ｂ及び図１を参照すると理解される通り、第一の凸部４１と第二の凸部４２の間に設けられた第三の凸部４３は、図１のように左側面から見た場合、図４Ａのように正面から見た場合、及び図４Ｂのように背面から見た場合において、いずれもハンドル部５０の長手方向に略垂直な方向に向かって凸の凸形状を有している。
【００５９】
これに対し、図４Ａ、図４Ｂ及び図１を参照すると理解される通り、ハンドル部５０の端部５１に設けられた第二の凸部４２は、図１のように左側面から見た場合には、ハンドル部５０の長手方向に略垂直な方向に向かって凸の凸形状を有しておらず、図４Ａのように正面から見た場合、及び図４Ｂのように背面から見た場合においては、ハンドル部５０の長手方向に略垂直な方向に向かって凸の凸形状を有している。
【００６０】
図４Ａ、図４Ｂ及び図１を参照すると理解される通り、ハンドル部５０の端部５１に設けられた第二の凸部４２は、挿通孔５２を有するようにしてもよい。第二の凸部４２の挿通孔５２は、第二の軸体凸部７２の挿通孔６５に対応しており、第二の凸部４２の挿通孔５２には、液状歯磨き剤塗布ブラシ１の保管の際の便宜のため、フックや紐等を通すことができるようにしてもよい。
【００６１】
図５は、本発明による液状歯磨き剤塗布ブラシ１の首部３０の撓みの一例を示す図である。
図５に一例を示すように、首部３０は、可撓性を有し、少なくともヘッド部２０の右側面方向又は左側面方向への撓みを許容する。首部３０は、好ましくはヘッド部２０に対して１Ｎ（１００ｇ）の力が加わったとき、ハンドル部５０の長手方向とヘッド部２０の長手方向とのなす劣角が１０度以上４０度以下となるよう撓みを許容する。また、首部３０は、好ましくはヘッド部２０に対して２Ｎ（２００ｇ）の力が加わったとき、ハンドル部５０の長手方向とヘッド部２０の長手方向とのなす劣角が２５度以上６５度以下となるよう撓みを許容する。
【００６２】
首部３０は、上記のようにヘッド部２０の右側面方向又は左側面方向への撓みを許容する一方で、ヘッド部２０の前後方向、即ち、液状歯磨き剤塗布ブラシ１を正面視した場合の手前に向かう方向及び奥に向かう方向には撓みにくい。これにより、乳幼児や子供の喉突き防止と、親等の大人が仕上げとして歯磨き剤を塗布する際の操作性とを両立することができる。複数の被験者による操作性の評価実験においても、右側面方向又は左側面方向と前後方向の両方に大きく撓むブラシよりも、右側面方向又は左側面方向には大きく撓み、前後方向には撓みにくいブラシの方が、操作性が良いことが確かめられた。
【００６３】
なお、乳幼児や子供の喉突き防止と、親等の大人が仕上げとして歯磨き剤を塗布する際の操作性との両立は、首部３０の撓みの方向だけでなく、硬質樹脂で一体的に形成された軸体６０が液状歯磨き剤塗布ブラシ１の略全長に亘って配置されていること等の上記で説明した他の特徴とを併せ持つことで、より効果を発揮することができる。例えば、硬質樹脂で一体的に形成された軸体６０が液状歯磨き剤塗布ブラシ１の略全長に亘って配置されていることで、ハンドル部が撓まない構造において、首部３０がヘッド部２０の前後方向に撓みにくいことにより、ハンドル部５０に加えた力をより直接的にヘッド部２０へ伝えることができ、親等の大人が仕上げとして歯磨き剤を塗布する際の操作性が向上される。
【００６４】
首部３０のヘッド部２０の右側面方向又は左側面方向への撓みによるヘッド部２０の変位量Ｃは、首部３０のヘッド部２０の前後方向への撓みによるヘッド部２０の変位量Ｄよりも大きい。例えば、ハンドル部５０の中心軸が水平方向となるようにハンドル部５０を固定し、ヘッド部２０の先端からヘッド部２０の長手方向の長さの１／２の距離だけ離れた位置に１００ｇの錘を吊り下げて、首部３０がヘッド部２０の右側面方向又は左側面方向へ撓むようにした場合のヘッド部２０の変位量Ｃを計測し、同じ条件にて１００ｇの錘を吊るし、首部３０がヘッド部２０の前後方向へ撓むようにした場合のヘッド部２０の変位量Ｄを計測した場合、Ｃ／Ｄは３．００〜４．００である。好ましくはＣ／Ｄは３．２０〜３．７０である。
【００６５】
図６は、本発明による液状歯磨き剤塗布ブラシのＡ−Ａ断面図である。
本発明による液状歯磨き剤塗布ブラシ１は、ヘッド部２０、首部３０及びハンドル部５０が被覆部８０を有する。被覆部８０は、ヘッド部２０の被覆部８１と、首部３０の被覆部８２と、ハンドル部５０の被覆部８３とから成る。ヘッド部２０の被覆部８１と、首部３０の被覆部８２と、ハンドル部５０の被覆部８３は、軸体凸部７０の硬質樹脂よりも軟質の弾性材料により一体として形成される。弾性材料は低反発のものが好ましい。
【００６６】
被覆部８０は、ヘッド部２０の軸体６１、首部３０の軸体６２及びハンドル部５０の軸体６３を被覆する。即ち、被覆部８０は、軸体６０をヘッド部２０、首部３０及びハンドル部５０に亘って被覆する。
【００６７】
ここで、首部３０の軸体６２の一部が、首部３０の被覆部８２に覆われずに露出する１つ又は複数の露出部９０を有するようにしてもよい。
【００６８】
ヘッド部２０の複数の突起部１０と、ヘッド部２０の被覆部８１とは、同一の弾性材料により一体として形成される。即ち、ヘッド部２０の表面２１の突起部１１、ヘッド部２０の裏面２２の突起部１２、及びヘッド部２０の被覆部８１は、同一の弾性材料により一体として形成される。弾性材料は低反発のものが好ましい。
【００６９】
このように、ヘッド部２０の表面２１の突起部１１は、表面２１に植設されたものではなく、ヘッド部２０の裏面２２の突起部１２は、裏面２２に植設されたものではない。突起部１１及び１２は、ヘッド部２０の表面２１又は裏面２２から突出したものであり、ヘッド部２０の表面２１又は裏面２２と一体となっているものである。そのため、一般的な歯ブラシのように複数の毛束が植え込まれたものとは異なり、１つの毛束を構成する細い毛同士の間や毛束の植え込み部分に液状歯磨き剤が染み込むことがないため、液状歯磨き剤を突起部１１又は１２の先端部分を中心に効果的に保持することができ、液状歯磨き剤を無駄なく塗布することができる。また、洗浄も容易となるため、衛生面においても優れている。また、一般的な歯ブラシのように１つの毛束を構成する毛が広がってしまうことによる劣化がないため、耐久性に優れ、より長期間の使用が可能となる。
【００７０】
被覆部８０を形成する弾性材料は、好ましくはシリコーンゴム又は熱可塑性エラストマーから成る。熱可塑性エラストマーは、ポリオレフィン系、スチレン系、ポリエステル系、又はポリウレタン系等のいずれの種類の熱可塑性エラストマーであってもよい。
【００７１】
以上の通り、本発明によれば、上記実施例で説明した通り構成することにより、乳幼児や子供が自ら塗布ブラシを操作して歯磨き剤の塗布を行う場合の操作性と、乳幼児や子供の代わりに親が塗布ブラシを操作して仕上げとして歯磨き剤を塗布する場合の操作性との両立を図る乳幼児や子供向けの液状歯磨き剤塗布ブラシを提供することができる。このように双方の操作性を向上することにより、乳幼児や子供の歯肉や口腔内組織へのダメージを最小限に抑えることができる。また、双方の操作性の向上を考慮した構造としつつ、首部の撓みを許容することにより喉突きによる事故を防止し、操作時の安全性も向上することができる。
上記記載は実施例についてなされたが、本発明はそれに限らず、本発明の原理と添付の請求の範囲の範囲内で種々の変更および修正をすることができることは当業者に明らかである。
【符号の説明】
【００７２】
１  液状歯磨き剤塗布ブラシ
１０  突起部
２０  ヘッド部
３０  首部
４０  凸部
５０  ハンドル部
６０  軸体
７０  軸体凸部
８０  被覆部
【図１】
2020075125.tif 000003
【図２】
2020075125.tif 000004
【図３Ａ】
2020075125.tif 000005
【図３Ｂ】
2020075125.tif 000006
【図３Ｃ】
2020075125.tif 000007
【図４Ａ】
2020075125.tif 000008
【図４Ｂ】
2020075125.tif 000009
【図５】
2020075125.tif 000010
【図６】
2020075125.tif 000011